(57)【要約】【課題】  簡単な操作で赤外線データを登録可能な携帯電話装置を提供する。【解決手段】  ユーザがキーレスエントリーシステムの発光装置１００を操作することにより、前記発光装置１００から車の解施錠に使用する赤外線データを携帯電話装置１０に送信させ、携帯電話装置１０の受光素子４５に前記携帯電話装置１０から送信された赤外線データを受光させ、受光した赤外線データは携帯電話装置１０の内部メモリに格納される。【選択図】      図３
2008187570.tif 000002
【特許請求の範囲】
【請求項１】
赤外線を受光する受光手段と、当該受光手段で受光した赤外線を格納する格納手段と、当該格納手段に格納した前記赤外線を発光する発光手段と、を有することを特徴とする携帯電話装置。
【請求項２】
車の解施錠を行う為の赤外線を受光する受光手段と、当該受光手段で受光した赤外線を格納する格納手段と、当該格納手段に格納した前記赤外線を発光する発光手段と、を有することを特徴とする携帯電話装置。
【請求項３】
文字や数字の入力を行う為の入力手段と、車の解施錠を行う為の赤外線を受光する受光手段と、当該受光手段で受光した赤外線と前記入力手段から入力されたＩＤとを対応付けて格納する格納手段と、当該格納手段に格納した前記赤外線を発光する発光手段と、を有することを特徴とする携帯電話装置。
【請求項４】
文字や数字の入力を行う為の入力手段と、車の解施錠を行う為の赤外線を受光する受光手段と、当該受光手段で受光した赤外線と前記入力手段から入力されたＩＤとを対応付けて格納する格納手段と、当該格納手段に格納されたＩＤのリストを表示する表示手段と、当該表示手段に表示された複数のＩＤから所望のＩＤを選択する選択手段と、当該選択手段で選択されたＩＤに対応する赤外線を発光する発光手段と、を有することを特徴とする携帯電話装置。
【請求項５】
テンキーと、車の解施錠を行う為の赤外線を受光する受光手段と、当該受光手段で受光した赤外線を格納する格納手段と、当該格納手段に格納された赤外線のデータとテンキーとを対応付けて登録する登録手段と、前記テンキーが押下されると、押下されたテンキーに対応する赤外線を発光する発光手段と、を有することを特徴とする携帯電話装置。
【請求項６】
電波によりデータを受信する受信手段と、当該受信手段で受信したデータを格納する格納手段と、当該格納手段に格納した前記データを送信する送信手段と、を有することを特徴とする携帯電話装置。
【請求項７】
車の解施錠を行う為のデータを電波により受信する受信手段と、当該受信手段で受信したデータを格納する格納手段と、当該格納手段に格納した前記データを無線で送信する送信手段と、を有することを特徴とする携帯電話装置。
【請求項８】
文字や数字の入力を行う為の入力手段と、車の解施錠を行う為のデータを無線で受信する受信手段と、当該受信手段で受信したデータと前記入力手段から入力されたＩＤとを対応付けて格納する格納手段と、当該格納手段に格納した前記データを無線で送信する送信手段と、を有することを特徴とする携帯電話装置。
【請求項９】
文字や数字の入力を行う為の入力手段と、車の解施錠を行う為のデータを無線で受信する受信手段と、当該受信手段で受信した無線データと前記入力手段から入力されたＩＤとを対応付けて格納する格納手段と、当該格納手段に格納されたＩＤのリストを表示する表示手段と、当該表示手段に表示された複数のＩＤから所望のＩＤを選択する選択手段と、当該選択手段で選択されたＩＤに対応するデータを無線で送信する送信手段と、を有することを特徴とする携帯電話装置。
【請求項１０】
テンキーと、車の解施錠を行う為のデータを無線で受信する受信手段と、当該受信手段で受信したデータを格納する格納手段と、当該格納手段に格納されたデータとテンキーとを対応付けて登録する登録手段と、前記テンキーが押下されると、押下されたテンキーに対応するデータを無線で送信する送信手段と、を有することを特徴とする携帯電話装置。
【請求項１１】
テンキーと、当該テンキーに対応する赤外線データを格納する格納手段と、前記テンキーが押下されると、押下されたテンキーに対応する赤外線データを送信する送信手段と、を有することを特徴とする携帯電話装置。
【発明の詳細な説明】
【技術分野】
【０００１】
本発明は、赤外線通信機能を有する携帯電話装置に関する。
【背景技術】
【０００２】
特許文献１には、電話機用マイコンとキーレス用マイコンの２つのマイコンを搭載し、キーレスモードになると、ユーザの押圧操作に応じて車のドアの開錠又は施錠を行う携帯電話装置が開示されている。
【特許文献１】特開平１０−３１７７５３号公報
【発明の開示】
【発明が解決しようとする課題】
【０００３】
前記特許文献１の技術では、携帯電話装置にＩＤコードを入力し、解施錠制御装置にＩＤコードを無線で送信することにより、両ドアの施錠や運転席側の窓の閉じ動作や助手席側の窓の閉じ動作等を遠隔操作で行うことができるが、仮にユーザが車を買い換えた場合には、携帯電話装置に格納されているＩＤコードと、新しい車の解施錠制御装置に格納されたＩＤコードとが異なる為にキーレス機能を実施することができない。
【０００４】
仮に、新しい車にもキーレス機能を実施しようとするならば、新しい車の解施錠制御装置に格納されたＩＤコードと同じＩＤコードを携帯電話装置に格納しなければならない。
本発明は、新しい車を購入した場合でも何ら難しい操作を行わなくともキーレス機能を実施可能とするものである。
【課題を解決するための手段】
【０００５】
本願発明は、このような課題を解決する為のものであり、請求項１に記載の携帯電話装置は、赤外線を受光する受光手段と、当該受光手段で受光した赤外線を格納する格納手段と、当該格納手段に格納した前記赤外線を発光する発光手段と、を有することを特徴とする。
請求項２記載の携帯電話装置は、車の解施錠を行う為の赤外線を受光する受光手段と、当該受光手段で受光した赤外線を格納する格納手段と、当該格納手段に格納した前記赤外線を発光する発光手段と、を有することを特徴とする。
請求項３記載の携帯電話装置は、文字や数字の入力を行う為の入力手段と、車の解施錠を行う為の赤外線を受光する受光手段と、当該受光手段で受光した赤外線と前記入力手段から入力されたＩＤとを対応付けて格納する格納手段と、当該格納手段に格納した前記赤外線を発光する発光手段と、を有することを特徴とする。
請求項４記載の携帯電話装置は、文字や数字の入力を行う為の入力手段と、車の解施錠を行う為の赤外線を受光する受光手段と、当該受光手段で受光した赤外線と前記入力手段から入力されたＩＤとを対応付けて格納する格納手段と、当該格納手段に格納されたＩＤのリストを表示する表示手段と、当該表示手段に表示された複数のＩＤから所望のＩＤを選択する選択手段と、当該選択手段で選択されたＩＤに対応する赤外線を発光する発光手段と、を有することを特徴とする。
請求項５記載の携帯電話装置は、テンキーと、車の解施錠を行う為の赤外線を受光する受光手段と、当該受光手段で受光した赤外線を格納する格納手段と、当該格納手段に格納された赤外線のデータとテンキーとを対応付けて登録する登録手段と、前記テンキーが押下されると、押下されたテンキーに対応する赤外線を発光する発光手段と、を有することを特徴とする。
請求項６記載の携帯電話装置は、電波によりデータを受信する受信手段と、当該受信手段で受信したデータを格納する格納手段と、当該格納手段に格納した前記データを送信する送信手段と、を有することを特徴とする。
請求項７記載の携帯電話装置は、車の解施錠を行う為のデータを電波により受信する受信手段と、当該受信手段で受信したデータを格納する格納手段と、当該格納手段に格納した前記データを無線で送信する送信手段と、を有することを特徴とする。
請求項８記載の携帯電話装置は、文字や数字の入力を行う為の入力手段と、車の解施錠を行う為のデータを無線で受信する受信手段と、当該受信手段で受信したデータと前記入力手段から入力されたＩＤとを対応付けて格納する格納手段と、当該格納手段に格納した前記データを無線で送信する送信手段と、を有することを特徴とする。
請求項９記載の携帯電話装置は、文字や数字の入力を行う為の入力手段と、車の解施錠を行う為のデータを無線で受信する受信手段と、当該受信手段で受信した無線データと前記入力手段から入力されたＩＤとを対応付けて格納する格納手段と、当該格納手段に格納されたＩＤのリストを表示する表示手段と、当該表示手段に表示された複数のＩＤから所望のＩＤを選択する選択手段と、当該選択手段で選択されたＩＤに対応するデータを無線で送信する送信手段と、を有することを特徴とする。
請求項１０記載の携帯電話装置は、テンキーと、車の解施錠を行う為のデータを無線で受信する受信手段と、当該受信手段で受信したデータを格納する格納手段と、当該格納手段に格納されたデータとテンキーとを対応付けて登録する登録手段と、前記テンキーが押下されると、押下されたテンキーに対応するデータを無線で送信する送信手段と、を有することを特徴とする。
請求項１１記載の携帯電話装置は、テンキーと、当該テンキーに対応する赤外線データを格納する格納手段と、前記テンキーが押下されると、押下されたテンキーに対応する赤外線データを送信する送信手段と、を有することを特徴とする。
【発明の効果】
【０００６】
本願発明は、容易にキーレスエントリーシステムの発光装置からの赤外線データを格納し、更に格納した赤外線データを発光することが可能である為、ユーザが複雑な手続きや操作を行わなくとも、簡単に車のキーレスエントリーシステムで使用されている赤外線データを携帯電話に登録することが可能である。
【０００７】
請求項１記載の携帯電話装置では、ユーザが複雑な手続きや操作を行わなくとも、簡単にリモコン等の装置の赤外線データを携帯電話に登録することが可能である。
【０００８】
請求項２記載の携帯電話装置では、ユーザが複雑な手続きや操作を行わなくとも、簡単に車のキーレスエントリーシステムで使用されている赤外線データを携帯電話に登録することが可能である。
【０００９】
請求項３記載の携帯電話装置では、受光した赤外線データにＩＤを対応付けて格納することにより、受光した赤外線データを正確に管理することが可能である。
【００１０】
請求項４記載の携帯電話装置では、ＩＤのリストが表示されるため、ユーザは所望のＩＤを選択することにより容易にＩＤに対応する所望の赤外線データを送信させることが可能である。
【００１１】
請求項５記載の携帯電話装置では、ユーザはテンキーを押下するだけで容易に押下されたキーに対応する赤外線データを送信させることが可能である。
【００１２】
請求項６記載の携帯電話装置では、ユーザが複雑な手続きや操作を行わなくとも、簡単にリモコン等の装置のデータを携帯電話に登録することが可能である。
【００１３】
請求項７記載の携帯電話装置では、ユーザが複雑な手続きや操作を行わなくとも、簡単に車のキーレスエントリーシステムで使用されている無線データを携帯電話に登録することが可能である。
【００１４】
請求項８記載の携帯電話装置では、受信した無線データにＩＤを対応付けて格納することにより、受信した無線データを正確に管理することが可能である。
【００１５】
請求項９記載の携帯電話装置では、ＩＤのリストが表示されるため、ユーザは所望のＩＤを選択することにより容易にＩＤに対応する所望の無線データを送信させることが可能である。
【００１６】
請求項１０記載の携帯電話装置では、ユーザはテンキーを押下するだけで容易に押下されたキーに対応する無線データを送信させることが可能である。
【００１７】
請求項１１記載の携帯電話装置では、ユーザがテンキーを押下するだけで、押下されたキーに対応する赤外線データを送信させることが可能である。
【発明を実施するための最良の形態】
【００１８】
次に、本発明の一実施形態に係る通信装置（携帯電話装置）について、図面を参照して説明する。
【００１９】
図１に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００２０】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００２１】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２２】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００２３】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２４】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２５】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
【００２６】
また、制御回路３６には、入力部４４が接続されている。この入力部４４は、図示していないが、テンキー、通話キー、切キー、カーソル移動等に用いられる十字キー、決定キー、クリアキー等を有している。
【００２７】
ＲＡＭ４０には、赤外線データとＩＤ（例えば、車の名称や型番やその他のその車固有の番号等）とが対応付けて格納される。
【００２８】
受光部４５は外部からの赤外線データを受光する為の受光素子であり、発光部４６は、前記ＲＡＭ４０に格納されている赤外線データを送信する為の発光素子である。
【００２９】
次に、本実施例装置の動作について、図２及び図４を用いて説明する。図２及び図４は本実施例装置の動作を示すフロー図である。
【００３０】
本実施例装置は、通常車を購入した際に車に付いているキーレスエントリーシステムの発光部からの光を受光してその光のデータを格納し、格納した光のデータを発光部から発光するものである。
【００３１】
図２は光を受光してその光のデータを格納する際の動作を示すフロー図であり、図４は、格納した光のデータを発光部から発光する際の動作を示すフロー図である。
図３は、携帯電話装置１０が赤外線データを受光し記憶する際の斜視図であり、図３において、携帯電話装置１０にはディスプレイ４２と受光部４５とが搭載されている。
ユーザがキーレスエントリーシステムの発光装置１００から放出される赤外線を携帯電話装置１０に登録する際には、ユーザが発光装置１００の中央のボタンを親指で押下することにより、発光装置１００から車のキーを解施錠するための赤外線が放出され、この赤外線を携帯電話装置１０の受光部４５が受光することにより発光装置１０からの赤外線のデータが携帯電話装置１０に格納される。このような動作について図２を用いて以下に詳しく説明する。
【００３２】
図２のＳ１ステップでは、制御回路３６は入力部４４から受光モード（受光部４６が赤外線データを受光してそのデータをＲＡＭ４０に格納するモード）になるように指示する入力があると判定するとＳ２ステップへ処理を進める。
【００３３】
Ｓ２ステップでは、制御回路３６は装置を受光モードに移行しＳ３ステップへ処理を進める。
【００３４】
Ｓ３ステップでは、制御回路３６は内蔵されているタイマ（図示せず）による所定時間（例えば３０秒）のカウントを開始させ、Ｓ４ステップへ処理を進める。
【００３５】
Ｓ４ステップでは、制御回路３６は受光部４５から赤外線データを受光したと判定すると、Ｓ７ステップへ処理を進め、そうでなければＳ５ステップへ処理を進める。
【００３６】
Ｓ５ステップでは、制御回路３６は前記Ｓ３ステップでカウントを開始したタイマが所定時間のカウントを終了したと判定するとＳ６ステップへ処理を進め、そうでなければＳ４ステップへ処理を戻す。
【００３７】
Ｓ６ステップでは、制御回路３６はディスプレイ４２に「データ受信失敗」と表示させＳ１ステップへ処理を戻す。尚、この時に装置は受光モードを解除し通常の待ちうけ状態に移ると共に、前記Ｓ３ステップでカウントを開始したタイマをクリアさせる。
【００３８】
Ｓ７ステップでは、制御回路３６は前記Ｓ４ステップで受光部４５が受光した赤外線データをＲＡＭ４０に格納し、Ｓ８ステップへ処理を進める。
【００３９】
Ｓ８ステップでは、制御回路３６は入力部からＩＤ（例えば、車の名前等）が入力されたと判定するとＳ９ステップへ処理を進め、そうでなければ受光モードの処理を終了する。尚、受光モードの処理を終了する際に、前記Ｓ３ステップでカウント開始したタイマをリセットさせる。
【００４０】
Ｓ９ステップでは、制御回路３６は前記Ｓ８ステップで入力されたＩＤデータと前記Ｓ７ステップで格納された赤外線データとを対応付けてＲＡＭ４０に格納する。
【００４１】
次に、ＲＡＭ４０に格納した赤外線データを発光部４６から発光させる動作について図４のフロー図を用いて以下に説明する。
【００４２】
図４のＳ１０ステップでは、制御回路３６は、入力部４４から発光モード（ＲＡＭ４０に格納した赤外線データを発光部４６から発光させるモード）になるように指示する入力があると判定するとＳ１１ステップへ処理を進める。
【００４３】
Ｓ１１ステップでは、制御回路３６は、ディスプレイ４２に赤外線データの種類の一覧を表示させ、ユーザが所望の赤外線データを選択するとＳ１２ステップへ処理を進める。
尚、赤外線データ種類の一覧表示の表示形態を図５に示している。図５において、１〜３の３つの車の赤外線データが格納されており、１番目にはユーザの愛車である「トレノ」」の解施錠を行う為の赤外線データが格納されている。又、２番目にはユーザのお姉ちゃんの愛車である「ラパン」の赤外線データが格納されており、３番目には家の車である「カローラ」の赤外線データが格納されている。ユーザはこれら３つの車から所望の車を選択することにより、選択された車に対応する赤外線データを発光部４６から発光させることが可能である。
夫々の項目を見てみると、例えば１番目には「トレノ（Ｍｙ  ｃａｒ）」と表示されているが、これは「トレノ」の赤外線データに対応するＩＤであり、このＩＤはユーザが入力部４４を操作することにより入力可能である。
【００４４】
Ｓ１２ステップでは、制御回路３６は、入力部４４から前記Ｓ１１ステップで選択された車に対応する赤外線データを発光部４６から発光させるよう指示する入力があると判定すると、Ｓ１３ステップへ処理を進め、そうでなければ、Ｓ１１ステップへ処理を戻す。
【００４５】
Ｓ１３ステップでは、制御回路３６は、前記Ｓ１１ステップで選択された車に対応する赤外線データをＲＡＭ４０から読み込み、発光部４６から発光させて処理を終了する。
【００４６】
以上説明したように、本実施例装置では、まず、所望の車のキーレスエントリーシステムの発光装置からの赤外線を受光し記憶する。次に記憶した赤外線を所望の車に対して発光（送信）させることにより、所望の車の解施錠を行うことができる。
【００４７】
この為、ユーザは複雑な操作を行わなくとも簡単に所望の車の赤外線データを携帯電話装置に格納することができ、記憶した赤外線を発光させることにより所望の車の解施錠を容易に行うことができる。
【００４８】
尚、本実施例装置では、赤外線により車の解施錠を行うキーレスエントリーシステムにおいて適用したが、無線（電波）により車の解施錠を行うキーレスエントリーシステムについても同様に実施可能である。この場合、車の解施錠を行う為の無線データをアンテナから受信しＲＡＭ４０に格納し、格納した無線データをアンテナから発信させることにより同様に実施できる。
【００４９】
又、本実施例ではＲＡＭ４０に格納した赤外線データの一覧をディスプレイ４２に表示させることにより、ユーザが所望の赤外線データを選択可能としているが、例えばテンキーの各キー夫々に赤外線データを対応付けて格納しても良い。又、このような構成とした場合、発光モードである状態でユーザがテンキーを押下することにより押下されたテンキーに対応する赤外線データを送信する構成にすることができる。
【００５０】
又、キーレスエントリーシステムで使用する赤外線データだけでなく、テレビのリモコンやエアコンのリモコン等から発せられる赤外線データも格納可能な構成としても良い。
【００５１】
更に、このような構成として場合には、テンキーの各キーに各リモコンの赤外線データを対応付けても良い。例えばテンキーの「１」にテレビの電源オンオフ、「２」にエアコンのオンオフ、「３」ビデオの録画開始、といった各機能を対応付けて格納させても良い。
【図面の簡単な説明】
【００５２】
【図１】本発明を適用してなる実施例装置のブロック図である。
【図２】本実施例装置の動作を示すフロー図である。
【図３】受光モードの動作を説明するための斜視図である。
【図４】本実施例装置の動作を示すフロー図である。
【図５】本実施例装置の表示形態を示す図である。
【符号の説明】
【００５３】
１０      携帯電話装置
３６      制御回路
４０      ＲＡＭ
４４      入力部
【図１】
2008187570.tif 000003
【図２】
2008187570.tif 000004
【図３】
2008187570.tif 000005
【図４】
2008187570.tif 000006
【図５】
2008187570.tif 000007